(57)【要約】【課題】確実かつ容易に水没した物品を拾い上げる。【解決手段】物品拾い上げ装置２は、アウターチューブ３の内部に芯線４が進退動自在に収容された可撓性を有するワイヤ５と、このワイヤ５の一端に設けられた掴み部６と、このワイヤ５に遊びを持たせて緩装された案内部７と、ワイヤ５の他端に設けられ芯線４を介して掴み部６を開閉動作させる操作部８とを備えている。掴み部６は、本体１０に固定された固定爪１１と、本体１０に枢支さればね１５により常時閉状態に弾発付勢されるとともに芯線４に接続され、開閉動作される可動爪１４とを備えている。操作部８は、握り枠３０と、両端がこの握り枠３０の内側に形成された案内溝３３、３３に係止され案内溝３３、３３に沿って進退動するとともに芯線４に接続される操作ロッド３４とを備えている。【選択図】  図１
2007007817.tif 000002
【特許請求の範囲】
【請求項１】
可撓性ワイヤの一端に設けられ開閉動作して物品またはその一部を掴む掴み部と、このワイヤに移動可能に装着され掴み部を自在に案内する案内部と、ワイヤの他端に設けられワイヤを介して掴み部に接続され掴み部を開閉動作させる操作部とを備えたことを特徴とする物品拾い上げ装置。
【請求項２】
ワイヤは、アウターチューブと、その内部に進退自在に収容され両端が外部に引き出された芯線とを備え、
掴み部は、アウターチューブの一端から引き出された芯線が導入される本体と、本体に枢支さればねにより常時閉状態に弾発付勢されるとともに上記芯線に接続され、本体に対し開閉動作される可動爪とを備えたことを特徴とする請求項１に記載の物品拾い上げ装置。
【請求項３】
本体には、固定爪が設けられ、可動爪の先端を固定爪側に折曲したことを特徴とする請求項２に記載の物品拾い上げ装置。
【請求項４】
操作部は、アウターチューブの他端に接続された握り枠と、両端がこの握り枠の内側に形成された案内溝に係止され案内溝に沿って進退動するとともに上記アウターチューブの他端から引き出された芯線に接続される操作ロッドとを備えたことを特徴とする請求項２または３に記載の物品拾い上げ装置。
【請求項５】
操作ロッドと握り枠との間には、戻しばねが装着され、操作ロッドを常時掴み部側に付勢することを特徴とする請求項４に記載の物品拾い上げ装置。
【請求項６】
案内部は、内部にワイヤの径より大径の貫通孔が穿設された筒体と、この筒体の掴み部側に設けられた鍔とを備えたことを特徴とする請求項１ないし５のうちいずれか１に記載の物品拾い上げ装置。
【発明の詳細な説明】
【技術分野】
【０００１】
本発明は、浅い水中に没した物品を拾い上げる拾い上げ装置に関するものである。
【背景技術】
【０００２】
一般に、水洗トイレの便器に携帯電話や財布などを落とすとトイレ詰まりの原因となる。トイレが一旦詰まると、復旧に多額の費用がかかる。従来、水洗トイレに携帯電話や財布などを落とした場合、拾い上げるには火箸を用いるようにしている。しかしながら、水洗トイレの便器の奥深い場所や狭隘な場所に物品が入り込んだ場合、火箸では取りにくいという問題がある。このため、便器の詰まり解除用具として、軟質弾性材により下面が開口した半球状のカップを設け、このカップの頂部に操作杆を連結したものが知られている（特許文献１参照）。
【特許文献１】登録実用新案第３０２８８２０号公報（第５頁、図８）
【発明の開示】
【発明が解決しようとする課題】
【０００３】
しかしながら、上記従来の詰まり解除用具では、便器に通じる排水口内に正圧・負圧を交互に発生させ、排水口近辺の、奥深い場所や狭隘な場所に入り込んだ物品を強制的に移動させて便器の拾い上げやすい場所まで引き出さなければならず、作業に難渋するという問題があった。物品が万一、排水口から下水管側に移動してしまうと、便器を取り外して復旧しなければならないという問題があった。
【０００４】
本発明は、上記課題を解決するためになされたもので、簡素な構成で確実かつ容易に水没した物品を拾い上げることができる物品拾い上げ装置を提供することを目的とするものである。
【課題を解決するための手段】
【０００５】
本発明に係る物品拾い上げ装置は、可撓性ワイヤの一端に設けられ開閉動作して物品またはその一部を掴む掴み部と、このワイヤに移動可能に装着され掴み部を自在に案内する案内部と、ワイヤの他端に設けられワイヤを介して掴み部に接続され掴み部を開閉動作させる操作部とを備えたものである。
【０００６】
本発明に係る物品拾い上げ装置では、可撓性ワイヤの一端に設けられ開閉動作して物品またはその一部を掴む掴み部と、このワイヤに移動可能に装着され掴み部を自在に案内する案内部と、ワイヤの他端に設けられワイヤを介して掴み部に接続され掴み部を開閉動作させる操作部とを備えたことにより、便器の奥まった場所に入り込んだ物品を拾い上げる際、まず、操作部を片手で、案内部を他方の手で持ち、案内部を掴み部に近づけて、目的の物品まで案内する。掴み部が物品に達すると、操作部を操作して掴み部を開閉動作させ、開閉動作により掴み部が物品またはその一部を掴むと、掴んだ状態で引き上げる。このように、先端の掴み部はワイヤを操作する案内部により確実に物品に達することができ、しかも、遠隔で操作部を操作するだけで物品を掴むことができる。このため、手を汚すことなく拾い上げることができ、しかも作業中、水がはねにくいので、作業しやすい。
【０００７】
また、請求項２に係る物品拾い上げ装置は、ワイヤは、アウターチューブと、その内部に進退自在に収容され両端が外部に引き出された芯線とを備え、掴み部は、アウターチューブの一端から引き出された芯線が導入される本体と、本体に枢支さればねにより常時閉状態に弾発付勢されるとともに上記芯線に接続され、本体に対し開閉動作される可動爪とを備えたものである。
【０００８】
請求項２に係る物品拾い上げ装置では、ワイヤは、アウターチューブと、その内部に進退自在に収容され両端が外部に引き出された芯線とを備え、掴み部は、アウターチューブの一端から引き出された芯線が導入される本体と、本体に枢支さればねにより常時閉状態に弾発付勢されるとともに上記芯線に接続され、本体に対し開閉動作される可動爪とを備えたことにより、物品は可動爪により掴まれるので、掴みやすい。また、可動爪は常に閉じた状態となっているので、干渉を受けにくく物品に近づきやすい。
【０００９】
さらに、請求項３に係る物品拾い上げ装置は、本体には、固定爪が設けられ、可動爪の先端を固定爪側に折曲したものである。
【００１０】
請求項３に係る物品拾い上げ装置では、本体には、固定爪が設けられ、可動爪の先端を固定爪側に折曲したことにより、例えば、ストラップを備えた物品を拾い上げる際には、爪をストラップに掛けやすいので物品を掴みやすい。
【００１１】
請求項４に係る物品拾い上げ装置は、操作部は、アウターチューブの他端に接続された握り枠と、両端がこの握り枠の内側に形成された案内溝に係止され案内溝に沿って進退動するとともに上記アウターチューブの他端から引き出された芯線に接続される操作ロッドとを備えたものである。
【００１２】
請求項４に係る物品拾い上げ装置では、操作部は、アウターチューブの他端に接続された握り枠と、両端がこの握り枠の内側に形成された案内溝に係止され案内溝に沿って進退動するとともに上記アウターチューブの他端から引き出された芯線に接続される操作ロッドとを備えたことにより、握り枠とともに操作ロッドを強く握るだけで掴み部を開き、握る力を緩めると掴み部が閉じるので、開閉操作を容易に行うことができる。
【００１３】
請求項５に係る物品拾い上げ装置は、操作ロッドと握り枠との間には、戻しばねが装着され、操作ロッドを常時掴み部側に付勢するようにしたものである。
【００１４】
請求項５に係る物品拾い上げ装置では、操作ロッドと握り枠との間には、戻しばねが装着され、操作ロッドを常時掴み部側に付勢するようにしたことにより、戻しばねは芯線を常に掴み部側に付勢するので、操作時以外では可動爪を確実に閉じておくことができ、ばねに開方向の力が働くことがなく、ばねの性能を長期にわたり維持することができる。
【００１５】
請求項６に係る物品拾い上げ装置は、案内部は、内部にワイヤの径より大径の貫通孔が穿設された筒体と、この筒体の掴み部側に設けられた鍔とを備えたものである。
【００１６】
請求項６に係る物品拾い上げ装置では、案内部は、内部にワイヤの径より大径の貫通孔が穿設された筒体と、この筒体の掴み部側に設けられた鍔とを備えたことにより、筒体を握って操作する際、掴み部側の鍔で拾い上げた物品と手との間がブロックされるので、手が汚れにくい。
【発明の効果】
【００１７】
本発明に係る物品拾い上げ装置は、可撓性ワイヤの一端に設けられ開閉動作して物品またはその一部を掴む掴み部と、このワイヤに移動可能に装着され掴み部を自在に案内する案内部と、ワイヤの他端に設けられワイヤを介して掴み部に接続され掴み部を開閉動作させる操作部とを備えているので、確実かつ容易に水没した物品を拾い上げることができる。
【発明を実施するための最良の形態】
【００１８】
奥まった狭い場所に水没した物品を確実かつ容易にしかも汚れを防いで拾い上げるという目的を、可撓性ワイヤの一端に開閉動作して物品を掴む掴み部を設け、このワイヤに、掴み部を自在に案内する案内部を装着し、このワイヤの他端にワイヤを介して掴み部に接続され掴み部を開閉動作させる操作部を設けたことにより実現した。
【実施例１】
【００１９】
以下、図面に示す実施例により本発明を説明する。図１は、本発明の第１の実施例に係る物品拾い上げ装置を示す一部省略斜視図である。本実施例に係る物品拾い上げ装置２は、図１に示すように、可撓性を有するワイヤ５と、このワイヤ５の一端に設けられた掴み部６と、このワイヤ５に遊びを持たせて装着された案内部７と、ワイヤ５の他端に設けられワイヤ５を介して掴み部６を開閉動作させる操作部８とを備えている。ワイヤ５は、図２に示すように、アウターチューブ３の内部に芯線４が進退動自在に収容され、芯線４の両端４Ａ、４Ｂがアウターチューブ３から外部に引き出されている。
【００２０】
掴み部６は、図２に示すように、アウターチューブ３の一端から引き出された芯線４をを内部に導き入れる本体１０と、この本体１０の開口部から外部に突出して設けられ先端が折り曲げられた固定爪１１と、基部１２がこの本体１０内に枢支され、腕部１３が本体１０の開口部から外部に突出して設けられ先端が固定爪１１側に折り曲げられた可動爪１４と、可動爪１４を常時固定爪１１側に付勢するばね１５とを備えている。可動爪１４の腕部１３は固定爪１１より短寸に形成され、可動爪の折曲端１６が固定爪１１の内面１７に弾接するようになっている。可動爪１４の基部１２には、芯線４の端部４Ａが連結される。このため、可動爪１４はワイヤ５の芯線４がばね１５の付勢力に抗して引っ張られると、開かれるようになっている。引っ張り力が失せると、ばね１５の弾発復帰力により閉じるようになっている。
【００２１】
案内部７は、内部に貫通孔２１が穿設された筒体２０と、この筒体２０の掴み部６側に設けられた鍔２２とを備えている。貫通孔２１はワイヤ５の径より大径に形成される。この貫通孔２１には、ワイヤ５が挿通される。筒体２０には、中央に膨出部２３が形成され、手で握りやすくなっている。この案内部７はワイヤ５に沿って自在に移動するようになっており、片手で操作部８を持ち、他方の手でこの案内部７を持つとこの案内部７を掴み部６に近づけ、掴み部６を所望の場所に導くようになっている。鍔２２は、筒体２０を握って操作する際、掴み部６が拾い上げた物品と手との間をブロックするようになっている。このため、作業時、手が汚れにくい。
【００２２】
操作部８は、平行な枠部３１、３２を有する握り枠３０を備えている。この握り枠３０には、アウターチューブ３の他端が接続される。また、操作部８は、両端が両枠部３１、３２の内側にそれぞれ形成された案内溝３３、３３に係止される操作ロッド３４を備えている。この操作ロッド３４は、案内溝３３、３３に沿って進退動するようになっている。操作ロッド３４は、アウターチューブ３の他端から引き出された芯線４の端部４Ｂに連結される。案内溝３３、３３は芯線４の進退方向に合致して形成される。操作ロッド３４の係止部３６、３６と握り枠３０との間には、ばね１５より付勢力の弱い戻しばね３７が装着され、操作ロッド３４を常時掴み部６側に付勢している。操作ロッド３４は、握り枠３０の握り部３５とともに片手で握られるようになっている。操作ロッド３４はばね１５の付勢力に抗して強く握られると、握り部３５側に押し付けられて、芯線４を引っ張り可動爪１４を押し開くようになっている。また、その状態から握る力を弱めて操作ロッド３４を解放すると、芯線４を引っ張る力が失せるので、ばね１５の付勢力により芯線４は元の位置に引き戻され可動爪１４は再び閉じるようになっている。また、戻しばね３７は、操作ロッド３４を通じて芯線４を常に掴み部６側に付勢するので、可動爪１４の操作時以外ばね１５に開方向の力が働くことがなく、ばね１５の性能を長期にわたり維持することができるようになっている。
【００２３】
次に、上記実施例に係る物品拾い上げ装置２の作用について説明する。上記実施例に係る物品拾い上げ装置２では、例えば、図３に示すように、便器の奥まった場所に落下した物品３を拾い上げる際、まず、操作部８を片手で、案内部７を他方の手で持ち、案内部７を掴み部６に近づけて、目的の物品Ｓまで案内する。掴み部６が物品Ｓに達すると、操作部８の操作ロッド３４をばね１５の付勢力に抗して強く握り、掴み部６の可動爪１４を開閉動作させ、開閉動作により両爪１１、１４が物品Ｓの一部（例えばストラップ）Ｓ１を掴むと、そのまま、物品を引き上げる。このように、先端の掴み部６はワイヤ５を操作する案内部７により確実に物品Ｓに達することができ、しかも、遠隔で操作部８を操作するだけで物品Ｓまたは物品の一部Ｓ１を掴んで拾い上げることができる。このように、本実施例に係る物品拾い上げ装置２では、確実かつ容易に水没した物品を拾い上げることができる。
【００２４】
なお、上記実施例では、掴み部６を固定爪１１と可動爪１４とにより構成しているがこれに限られるものではなく、マジックハンド（マニピュレータ）を用いるようにしてもよく、物品またはその一部を掴むものであればよいことはいうまでもない。また、上記実施例では、掴み部を固定爪１１と可動爪１４とにより構成しているがこれに限られるものではなく、両爪を可動爪として構成してもよいことはいうまでもない。
【図面の簡単な説明】
【００２５】
【図１】本発明の第１の実施例に係る物品拾い上げ装置を示す一部省略斜視図である。（実施例１）
【図２】図１の物品拾い上げ装置の掴み部を示す説明図である。
【図３】図１の物品拾い上げ装置の使用状態を示す説明図である。
【符号の説明】
【００２６】
２  物品拾い上げ装置
５  ワイヤ
６  掴み部
７  案内部
８  操作部
Ｓ  物品
Ｓ１  物品の一部
【図１】
2007007817.tif 000003
【図２】
2007007817.tif 000004
【図３】
2007007817.tif 000005